(57)【要約】【課題】   移動部材７と支持部材８とのクリアランスを維持しつつ、移動部材７のガタつきを抑制することが可能な計器装置１を提供する。【解決手段】  計器装置１は、車両情報を表示する表示器４と、指針３と、前記指針３によって指示される指標２ａを有し前記表示器４の前方周囲に設けられる表示体２と、前記指針３を備える移動部材７と、前記移動部材７を移動する駆動装置６と、前記移動部材７を指示する支持体８ａと、を備え、前記移動部材７及び前記支持板８ａは、磁力によって互いに引きつけあう材料で形成される。  【選択図】図３
2006078433.tif 000002
【特許請求の範囲】
【請求項１】
車両情報を表示する表示器と、
指針と、
前記指針によって指示される指標を有する表示板と、
前記指針を備える移動部材と、
前記移動部材を移動する駆動装置と、
前記移動部材を支持する支持体と、
を備え、
前記移動部材及び前記支持体は、磁性によって引きつけあう材料で形成されていることを特徴とする計器装置。
【請求項２】
前記移動部材は、磁石を備え、前記支持体は、磁性体からなることを特徴とする請求項１に記載の計器装置
【請求項３】
前記移動部材は、第一の磁石を備え、前記支持体は、第二の磁石を備え、第一の磁石と第二の磁石は、対極が対向してなることを特徴とする請求項１に記載の計器装置。
【請求項４】
前記移動部材は、磁性体からなり、前記支持体は、磁石を備えてなることを特徴とする請求項１に記載の計器装置。
【発明の詳細な説明】
【技術分野】
【０００１】
本発明は、車両に用いる計器装置に関するものであって、特に指針が表示板に設けられる指標を移動指示することによって、車両の速度やエンジンの回転数等を示す計器装置に関するものである。
【背景技術】
【０００２】
この主の計器装置として、例えば，下記特許文献１に記載のものが知られている。この計器装置は、リング状の移動部材に指針を設け、この移動部材を回転させることで指針が表示板上の指標を指示するように構成されている。当該構成からなる計器装置は、駆動装置を表示板の中央後方に設ける必要がないため、移動部材の中央に液晶表示パネル等の表示器が設置可能であり、これまで利用できなかった指針の移動中心部を表示に利用できるという利点がある。   
【特許文献１】特開２０００−１３１０９９号
【発明の開示】
【発明が解決しようとする課題】
【０００３】
特許文献１記載の計器装置は、移動部材にギヤ部を設け、駆動装置にギヤ部に噛み合う歯車を設け、ギヤ部と歯車とのギヤ連結を通じて移動部材を回転移動させる構成であるため、移動部材を適正に回転移動させるには、ギヤ部と歯車とをバックラッシュ分のクリアランスを持たせて噛み合わせる必要がある。
【０００４】
そのために、特許文献１の計器装置は、移動部材に均等配置された複数の支持部材によって移動部材がラジアル（水平）方向に支持されてなる。また、特許文献１には、移動部材のスラスト（垂直）方向支持は記載されてないが、移動部材を適正に回転させるためには、合成樹脂からなる移動部材の熱影響による寸法変形も考慮して、スラスト方向において一定のクリアランス（隙間）を設定して支持することが必要である。
【０００５】
しかしながら、このクリアランスによって、車両が振動した場合に移動部材がガタついて、さらには噛み合い状態が外れ、歯車が空回りすることがある。
【０００６】
本発明は、この問題に鑑みなされたものであり、移動部材と支持部材とのクリアランスを維持しつつ、移動部材のガタつきを抑制することが可能な計器装置を提供することを目的とするものである。
【課題を解決するための手段】
【０００７】
本発明は、前述した課題を解決するため、車両情報を表示する表示器と、指針と、前記指針によって指示される指標を有する表示板と、前記指針を備える移動部材と、前記移動部材を移動する駆動装置と、前記移動部材を支持する支持体と、を備え、前記移動部材及び前記支持体は、磁性によって引きつけあう材料で形成されていることを特徴とする計器装置である。
【０００８】
また、請求項２に記載のように、前記移動部材は、磁石を備え、前記支持体は、磁性体からなる。
【０００９】
また、請求項３に記載のように、前記移動部材は、第一の磁石を備え、前記支持体は、第二の磁石を備え、第一の磁石と第二の磁石は、対極が対向してなる。
【００１０】
また、請求項４に記載のように、前記移動部材は、磁性体からなり、前記支持体は、磁石を備えてなる。
【発明の効果】
【００１１】
本発明は、移動部材と支持部材とのクリアランスを維持しつつ、移動部材のガタつきを抑制することが可能な計器装置を提供することができる。
【発明を実施するための最良の形態】
【００１２】
以下、添付図面に基づいて、本発明の第１の実施形態を説明する。第１の実施形態は、本発明の請求項２にかかる実施形態である。
【００１３】
図１から図４は、本発明の実施形態を示す。図１は、計器装置１の正面図であり、図２は、表示板２を除いた計器装置１の正面図であり、図３は、図２における Ａ−Ａ断面を示す図であり、図４は、図２におけるＢ−Ｂ断面を示す図である。
【００１４】
計器装置１は、表示板２と、指針３と、表示器４と、見返し部材５と、駆動装置６と、移動部材７と、支持部材８と、回路基板９と、からなり、車速を指針３によって示し、その他の車両情報を表示器４によって示すものである。
【００１５】
表示板２は、無色透明なリング形状の基板上に、透光性の白色インクで印刷された目盛りや記号等からなる指標部を除いて遮光性の暗色インクで印刷されてなる。表示板２は、車速を示す指標部２ａが背後から透過照明される構造をもつ。表示板２の中央には、計器装置１の中央に位置する表示器４の表示が見えるように、開口２ｂが設けられる。    
【００１６】
指針３は、脚部３ａと、指示部３ｂと、からなり、後に詳述する移動部材７に設けられ、移動部材７の移動に伴って表示板２に設けられた指標部２ａを指示する。脚部３ａは、移動部材７の前面から上方（表示板２方向）へ延びるように形成され、その前端部には、指示部３ｂが設けられる。指示部３ｂは、脚部３ａの前端部から移動部材７の中心に向かって、表示板２上を沿うように設けられ、指標部２ａ上を移動指示する。  
【００１７】
表示器４は、液晶表示素子やＶＦＤ（蛍光表示管）等の表示素子が用いられる。表示器４は、リング形状となっている移動部材７の開口部Ｓに対応して回路基板９上に設けられる。表示器４の表示領域は、表示器４上に設けられる表示板２の開口２ｂによって決定される。表示器４は、シートベルトの脱着状況や方向指示等の各種ウォーニング表示、車速やエンジンの回転数等のデジタル表示及びバー表示を行い、車両情報を提供するものである。指標部２ａによって車速を指針３表示することに加え、中央に表示器４を設けることで、情報量は増大し、表示方法が一層多様化する。
【００１８】
見返し部材５は、黒色系の合成樹脂からなり、表示板２の前方側に配置され計器装置１の可視領域を定める開口５ａを有する。
【００１９】
駆動装置６は、ステッピングモータや交差コイル等からなり、回路基板９に配接される。駆動装置６は、駆動装置６から支持板８ａを貫通し後に表示板２方向に延びる駆動軸６ａを有する。駆動軸６ａの先端には歯車６ｂが固定され、支持板８ａ側には後に詳述する円盤部８ｄが設けられる。駆動装置６は、駆動軸６ａを介して歯車６ｂを移動させる。
【００２０】
移動部材７は、表示器４を視認可能なリング形状で、合成樹脂からなる。移動部材７はその内周にギヤ部７ａが設けられる。移動部材７は、駆動装置６によって回動する歯車６ｂとギヤ部７ａが噛み合うことによって、移動する。移動部材７は、その内周が厚み方向に段違いに形成されており、表示板２側上半分は、ギヤ部７ａであり、回路基板９側下半分は、中心に向かって張り出す張り出し部７ｂである。張り出し部は、ギヤ部７ａにおける内周よりも小さい円周となっている。この張り出し部７ｂに円盤部８ｄが接触する。移動部材７は、表示板２側に均等に６個の円柱形状の磁石１０が嵌入されてなる。
【００２１】
磁石１０を備える移動部材７は、計器装置１が振動しても、鉄からなる支持板８ａとの間に磁力１１が働き、磁気的に引きつけあうためにガタつきが抑制され、適正な状態を確保することができる。
【００２２】
移動部材７を支持する支持部材８は、支持板（支持体）８ａと、支持板８ａに設けられるフック形状の鉤形部８ｂと、移動部材７を後方（支持板８ａ側）から支持する凸部８ｃと、駆動軸６ａに設けられ移動部材７の内側から支持する円盤部８ｄと、からなる。支持板８ａは、強磁性体において軟磁性体に分類されるＳＰＣ（冷間圧延鋼板）に亜鉛めっきを施した部材である。ＳＰＣは、鉄と炭素の合金である鋼からなる。支持板８ａは、表示器４による表示に対応して開口を備えるため、剛性のある金属からなる。  
【００２３】
鉤形部８ｂは、鉄製の支持板８ａに合成樹脂をアウトサート成型されており、移動部材７のスラスト（水平）方向及びラジアル（垂直）方向のズレを規制する。鉤形部８ｂは、支持板８ａに設けられ、回路基板９から移動部材７の外側に沿って表示板２方向にのびる支柱８１と、この支柱８１の先端から移動部材７の中心に向かって延びるフック８２と、からなる。支柱８１は、移動部材７の外周壁から所定のクリアランスを隔てて設けられ、ラジアル方向の移動部材７のズレを規制し、フック８２は、移動部材７の前面と所定のクリアランスを隔てるように設けられ、スラスト方向の移動部材７のズレを規制する。  
【００２４】
凸部８ｃは、支持板８ａ上に移動部材７の背面に当接するように設けられる半球状の支持部材８であり、移動部材７の背面に沿って等間隔に６カ所（図示しない）設けられている。凸部８ｃは、移動部材７に線接触して移動部材７を支持するため、駆動装置６に与える負荷を軽減する。
【００２５】
円盤部８ｄは、駆動軸６ａに設けられ、合成樹脂からなる円盤形状の支持部材８であり、移動部材７が移動すると、その移動に伴い、回動する。円盤部８ｄは、鉤形部８ｂの支柱と共に移動部材７のラジアル方向のズレを規制する。
【００２６】
計器装置１は、磁石１０を備える移動部材７と以上のような支持部材８を備えることにより、駆動装置６（歯車６ｂ）とギヤ部７ａを適正な状態に保ち、より信頼性の高い支持構造となる。
【００２７】
回路基板９は、絶縁材料であるアルミナや窒化アルミニウムなどからなるセラミックの板状の基板に導体，抵抗，レジスト膜を印刷し、駆動装置６及び支持板８ａが配設される。
【００２８】
本実施形態の計器装置１は、移動部材７に磁石を設け、移動部材７を支持する支持板８ａに鉄を含むＳＰＣを用い、移動部材７と支持板８ａとを磁気的に引きつけあう磁性材料としたため、計器装置１が振動しても、移動部材７のガタつきを抑制することができる。
【００２９】
前記移動部材７は、複数の磁石１０を均等に備えるため、移動部材７と支持板８ａとの間に均一に磁力が働き、ガタつきを抑制する。
【００３０】
なお、本実施形態においては、移動部材７に均等に複数の円柱形状の磁石１０を設けたが、磁石１０の形状及び個数は任意であり、移動部材７を安定して支持するものであればよい。例えば、移動部材７自体を磁石１０によって形成したり、磁石１０を、移動部材７に沿うようにリング状あるいは円弧状とし、用いてもよい。
【００３１】
また、本実施形態においては、支持部材８にフック８２を備える鉤形部８ｂを用いたが、例えば、移動部材７の外周壁に沿ってピンを設け、移動部材７のラジアル方向のズレを規制してもよく、また、移動部材７の外周に支持部材８を備えなくともよい。
【００３２】
また、前記実施形態では移動部材７を一定の剛性を有する部材にて設けたが、柔軟性をもったベルト，ワイヤやギヤブレードなどの部材を用いてもよい。
【００３３】
次に、図５を用いて第２の実施形態を説明する。本実施形態は、本発明の請求項３にかかる実施形態である。図５は、本実施形態の要部断面図である。前述した実施形態と同様もしくは相当個所には同一符号を付してその詳細な説明は省く。
【００３４】
移動部材７は、指針３を備え、リング形状の合成樹脂からなる。移動部材７は、移動部材７を支持する支持板８ａと対向する背面にプレート状の第一の磁石１２を備える。第一の磁石１２は、支持板８ａとの対向面がＮ極となっている。
【００３５】
支持板８ａは、金属からなり、表示器４の表示に対応して開口を備え、移動部材７を支持する。支持板８ａは、移動部材７の背面と対向する箇所に第二の磁石１３を備える。第二の磁石１３は、第一の磁石１２との対向面がＳ極となっている。
【００３６】
本実施形態は、以上のように、対向する移動部材７と支持板８ａそれぞれに備えられる第一の磁石１２と第二の磁石１３との間には磁力１１が発生し、互いに引きつけあう。そのため、計器装置１が振動しても移動部材７のガタつきを抑制することができる。
【００３７】
なお、第一の磁石１２と第二の磁石１３の磁極は、互いに対向する側の極が異極（対極）であればよい。
【００３８】
次に図６を用いて第３の実施形態を説明する。本実施形態は、本発明の請求項４にかかる実施形態である。図６は、本実施形態の要部断面図である。前述した実施形態と同様もしくは相当個所には同一符号を付してその詳細な説明は省く。
【００３９】
移動部材７は、ＳＰＣをギヤ部７ａを備えるリング形状としたものである。
【００４０】
支持板８ａは、金属からなり、表示器４の表示に対応して開口を備え、移動部材７を支持する。支持板８ａは、移動部材７の背面（支持板８ａ側）と対向する箇所に磁石１４を備える。磁石１４は、リング形状の支持部材８背面に沿うように、リング形状となって支持板８ａ背面と対向して配置される。
【００４１】
本実施形態は、ＳＰＣからなる移動部材７と磁石１４を備える支持部材８との間には、磁力１１が働き、互いに磁気的に引きつけ合い、計器装置１が振動しても、移動部材７のガタつきを抑制することができる。
【００４２】
なお、本実施形態においては、移動部材７自体をＳＰＣで形成したが、移動部材７自体が磁性体であるか、あるいは、移動部材７が磁性体を備えるものであればよく、例えば、合成樹脂からなる移動部材７の背面に構成材料に鉄を含む部材を嵌入させ、この鉄からなる部材と支持部材８との間に磁力が働くことで、鉄からなる部材を備える移動部材７のガタつきを抑制するものであってもよい。
【図面の簡単な説明】
【００４３】
【図１】本発明の第１の実施形態を示す正面図。
【図２】同上実施形態の表示板を除いた計器装置の正面図。
【図３】同上実施形態のＡ−Ａ断面図。
【図４】同上実施形態のＢ−Ｂ断面図。
【図５】本発明の第２の実施形態を示す断面図。
【図６】本発明の第３の実施形態を示す断面図。
【符号の説明】
【００４４】
１  計器装置
２  表示板
３  指針
４  表示器
６  駆動装置
７  移動部材
８  支持部材
８ａ  支持板（支持体）
１０，１２，１３、１４  磁石
１１  磁力
【図１】
2006078433.tif 000003
【図２】
2006078433.tif 000004
【図３】
2006078433.tif 000005
【図４】
2006078433.tif 000006
【図５】
2006078433.tif 000007
【図６】
2006078433.tif 000008